(57)【要約】【課題】容器からの内容物の漏出が抑制された蓋付容器を提供する。【解決手段】底部及び側部を含み、収容部を画成する胴部と、収容部を囲うように側部の上部に連設されたフランジ部であって、平坦部と、平坦部よりも底部側に位置し、フランジ部の収容部側の縁である内縁から、フランジ部の内縁とは反対側の縁である外縁に向かって延びる溝部と、を含むフランジ部と、を有する容器と、容器の収容部及び溝部を覆う蓋と、蓋を容器のフランジ部の平坦部の上面に接合する閉鎖シール部であって、突出シール部を含む閉鎖シール部と、を備え、閉鎖シール部は、少なくとも溝部を囲う溝部側縁部を有し、溝部側縁部は、溝部の延びる方向にみて、内縁側に位置する内縁側端部と、外縁側に位置する外縁側端部とを有する。【選択図】図５
2020189686.tif 000002
【特許請求の範囲】
【請求項１】
底部及び側部を含み、収容部を画成する胴部と、前記収容部を囲うように前記側部の上部に連設されたフランジ部であって、平坦部と、前記平坦部よりも前記底部側に位置し、前記フランジ部の前記収容部側の縁である内縁から、前記フランジ部の前記内縁とは反対側の縁である外縁に向かって、前記内縁及び前記外縁に達しないように延びる溝部と、を含むフランジ部と、を有する容器と、
前記容器の前記収容部及び前記溝部を覆う蓋と、
前記収容部及び前記溝部を外部から封止するように前記蓋を前記容器の前記フランジ部の前記平坦部の上面に接合する閉鎖シール部であって、前記溝部と前記収容部との間に位置し、前記容器の前記収容部に向かって突出する突出シール部を含む閉鎖シール部と、を備え、
前記閉鎖シール部は、少なくとも前記溝部を囲う溝部側縁部を有し、
前記溝部側縁部は、前記溝部の延びる方向にみて、前記内縁側に位置する内縁側端部と、前記外縁側に位置する外縁側端部とを有する、蓋付容器。
【請求項２】
前記フランジ部の、前記内縁側端部に重なる部分と前記外縁側端部に重なる部分との間には、前記溝部が延びる方向に交差する方向において前記フランジ部を破断させるための脆弱部が設けられている、請求項１に記載の蓋付容器。
【請求項３】
前記脆弱部は、前記フランジ部の少なくとも前記溝部に設けられ、前記溝部が延びる方向に交差する方向において前記溝部を破断させる、請求項２に記載の蓋付容器。
【請求項４】
前記脆弱部は、前記溝部及び前記平坦部に跨るよう前記フランジ部に設けられている、請求項３に記載の蓋付容器。
【請求項５】
閉鎖シール部の前記溝部側縁部は、前記フランジ部の前記溝部と、前記フランジ部の前記平坦部のうち前記溝部の延びる方向にみて前記溝部よりも前記外縁側に位置する部分の一部と、を囲っており、
前記脆弱部は、前記フランジ部の前記平坦部の、前記溝部の延びる方向にみて前記溝部よりも前記外縁側に位置する前記一部に少なくとも設けられ、前記溝部が延びる方向に交差する方向において前記一部を破断させる、請求項２に記載の蓋付容器。
【請求項６】
前記脆弱部は、前記フランジ部の下面側に設けられたハーフカットを含む、請求項２乃至５のいずれか一項に記載の蓋付容器。
【請求項７】
前記蓋は、少なくとも前記脆弱部と重なる部分において、前記脆弱部が延びる方向における易裂き性を有する、請求項２乃至６のいずれか一項に記載の蓋付容器。
【請求項８】
前記脆弱部が延びる方向における前記蓋の引張強度は、前記脆弱部が延びる方向と直交する方向における前記蓋の引張強度よりも大きい、請求項７に記載の蓋付容器。
【請求項９】
前記脆弱部は、前記フランジ部の前記外縁に達するよう延びており、
前記フランジ部の前記外縁のうち前記脆弱部が達する部分には切欠きが設けられている、請求項２乃至８のいずれか一項に記載の蓋付容器。
【請求項１０】
前記溝部の容積は、前記収容部の容積の１％以上である、請求項１乃至９のいずれか一項に記載の蓋付容器。
【請求項１１】
前記容器の前記側部には、前記収容部に向かって凹む凹部が設けられており、
前記突出シール部は、上下方向に沿って見た場合に前記容器の前記側部の前記凹部内に少なくとも部分的に位置する、請求項１乃至１０のいずれか一項に記載の蓋付容器。
【発明の詳細な説明】
【技術分野】
【０００１】
本発明は、蓋付容器に関する。
【背景技術】
【０００２】
従来、液体や紛体などの流動性を有する内容物を、プラスチック製の容器に収容し、フィルムなどからなる蓋で密封した蓋付容器が多く市場に出回っている。このような蓋付容器のうち特に小型のものは、ポーション、ポーション容器やポーションカップなどとも称される。小型の蓋付容器は、ガムシロップ、コーヒーフレッシュ、調味料、濃縮飲料など、様々な内容物を収容するために利用されている。
【０００３】
蓋付容器の一形態として、例えば特許文献１に開示されているように、容器の底部や側部に外力を加えて容器を変形させ、これによって容器内部の圧力を上昇させ、このことにより閉鎖シール部が部分的に分離するよう構成されたタイプのものが知られている。このような蓋付容器によれば、例えば、片手で容器の側部や底部を押圧することによって閉鎖シール部を分離させて、内容物を取り出すことができる。このため、一方の手で容器を保持した状態で他方の手で蓋を取り外す必要のあるタイプの蓋付容器に比べて、容易に内容物を取り出すことができる。また、閉鎖シール部を分離させる際に手に内容物が付着してしまうことを抑制することができる。また特許文献１に開示されているように、希釈飲料生成装置などの装置に、濃縮飲料が収容された蓋付容器をセットし、装置を利用して容器の底部や側部を押圧することにより、所望の濃度の飲料を生成することもできる。
【０００４】
特許文献１に開示されている蓋付容器において、蓋を容器のフランジ部に接合するための環状の閉鎖シール部の一部は、容器の収容部の径方向内側に向かって突出した突出シール部になっている。この場合、容器内部の圧力が上昇する時、突出シール部が、閉鎖シール部の他の部分よりも先に分離することになる。このため使用者は、内容物が収容部のどの位置から排出され易いかを予測することができる。
【先行技術文献】
【特許文献】
【０００５】
【特許文献１】特開２０１５−９０５１号公報
【発明の概要】
【発明が解決しようとする課題】
【０００６】
容器の底部又は側部が意図せず押圧された場合には、意図しないタイミングで突出シール部がフランジ部から分離し、内容物が漏出してしまうことが考えられる。
【０００７】
本発明は、このような課題を効果的に解決し得る蓋付容器を提供することを目的とする。
【課題を解決するための手段】
【０００８】
本発明は、底部及び側部を含み、収容部を画成する胴部と、前記収容部を囲うように前記側部の上部に連設されたフランジ部であって、平坦部と、前記平坦部よりも前記底部側に位置し、前記フランジ部の前記収容部側の縁である内縁から、前記フランジ部の前記内縁とは反対側の縁である外縁に向かって、前記内縁及び前記外縁に達しないように延びる溝部と、を含むフランジ部と、を有する容器と、前記容器の前記収容部及び前記溝部を覆う蓋と、前記収容部及び前記溝部を外部から封止するように前記蓋を前記容器の前記フランジ部の前記平坦部の上面に接合する閉鎖シール部であって、前記溝部と前記収容部との間に位置し、前記容器の前記収容部に向かって突出する突出シール部を含む閉鎖シール部と、を備え、前記閉鎖シール部は、少なくとも前記溝部を囲う溝部側縁部を有し、前記溝部側縁部は、前記溝部の延びる方向にみて、前記内縁側に位置する内縁側端部と、前記外縁側に位置する外縁側端部とを有する、蓋付容器である。
【０００９】
本発明による蓋付容器において、前記フランジ部の、前記内縁側端部に重なる部分と前記外縁側端部に重なる部分との間には、前記溝部が延びる方向に交差する方向において前記フランジ部を破断させるための脆弱部が設けられていてもよい。
【００１０】
本発明による蓋付容器において、前記脆弱部は、前記フランジ部の少なくとも前記溝部に設けられ、前記溝部が延びる方向に交差する方向において前記溝部を破断させてもよい。
【００１１】
本発明による蓋付容器において、前記脆弱部は、前記溝部及び前記平坦部に跨るよう前記フランジ部に設けられていてもよい。
【００１２】
本発明による蓋付容器において、前記脆弱部は、前記フランジ部の下面側に設けられたハーフカットを含んでいてもよい。
【００１３】
本発明による蓋付容器において、前記蓋は、少なくとも前記脆弱部と重なる部分において、前記脆弱部が延びる方向における易裂き性を有してもよい。
【００１４】
本発明による蓋付容器において、前記脆弱部が延びる方向における前記蓋の引張強度は、前記脆弱部が延びる方向と直交する方向における前記蓋の引張強度よりも大きくてもよい。
【００１５】
本発明による蓋付容器において、前記脆弱部は、前記溝部及び前記平坦部に跨るとともに前記フランジ部の前記外縁に達するよう延びており、前記フランジ部の前記外縁のうち前記脆弱部が達する部分には切欠きが設けられていてもよい。
【００１６】
本発明による蓋付容器において、前記溝部の容積は、前記収容部の容積の１％以上であってもよい。
【００１７】
本発明による蓋付容器において、前記容器の前記側部には、前記収容部に向かって凹む凹部が設けられており、前記突出シール部は、上下方向に沿って見た場合に前記容器の前記側部の前記凹部内に少なくとも部分的に位置してもよい。
【発明の効果】
【００１８】
本発明によれば、意図しないタイミングで突出シール部がフランジ部から分離した場合に、容器からの内容物の漏出を抑制することができる。
【図面の簡単な説明】
【００１９】
【図１】本発明の実施の形態における蓋付容器を示す平面図である。
【図２】本発明の実施の形態における蓋付容器を示す底面図である。
【図３】図１の蓋付容器を矢印IIIに沿って見た場合を示す正面図である。
【図４】図１の蓋付容器を矢印IVに沿って見た場合を示す側面図である。
【図５】図３の蓋付容器を線V−Vに沿って切断した場合を示す縦断面図である。
【図６】図３の蓋付容器を線VI−VIに沿って切断した場合を示す横断面図である。
【図７】図１の蓋付容器の閉鎖シール部の突出シール部を拡大して示す平面図である。
【図８】容器の底部に押圧力を加える様子を示す斜視図である。
【図９】押圧力に基づいて変形した容器を示す斜視図である。
【図１０】溝部に開口部を形成した様子を示す図である。
【図１１】容器の一変形例を示す平面図である。
【図１２】容器の一変形例を示す底面図である。
【図１３】容器の一変形例を示す平面図である。
【図１４】容器の一変形例を示す底面図である。
【図１５】容器の一変形例を示す縦断面図である。
【図１６】一変形例に係る容器の使用方法を示す図である。
【図１７】一変形例に係る容器の使用方法を示す図である。
【図１８】容器の一変形例を示す平面図である。
【図１９】容器の一変形例を示す底面図である。
【図２０】容器の一変形例を示す縦断面図である。
【図２１】容器の一変形例を示す平面図である。
【図２２】容器の一変形例を示す平面図である。
【発明を実施するための形態】
【００２０】
以下、図１乃至図１０を参照して、本発明の実施の形態について説明する。まず図１乃至図５を参照して、本実施の形態における蓋付容器１０全体について説明する。図１は、蓋付容器１０を蓋５０側から見た場合を示す平面図であり、図２は、蓋付容器１０を容器２０の底部２２側から見た場合を示す底面図である。また、図３は、図１の蓋付容器１０を矢印IIIに沿って見た場合を示す正面図であり、図４は、図１の蓋付容器１０を矢印IVに沿って見た場合を示す側面図である。図５は、図３の蓋付容器１０を線V−Vに沿って切断した場合を示す縦断面図である。
【００２１】
（蓋付容器）
蓋付容器１０は、収容部１６が形成された容器２０と、容器２０の収容部１６を覆う蓋５０と、蓋５０を容器２０に接合する閉鎖シール部３０と、を備えている。図１においては、蓋５０によって覆われている容器２０及びその構成要素が点線で表されている。符号Ｃは、収容部１６の中心点を表す。中心点Ｃは、収容部１６の重心であり、本実施形態では、平面視において収容部１６の外縁に外接するように仮想的に描かれた円の中心点として定義される。
【００２２】
（容器）
次に容器２０について説明する。図１乃至図５に示すように、容器２０は、底部２２及び側部２３を含み、収容部１６を画成する胴部２１と、収容部１６を囲うように側部２３の上部に連設されたフランジ部２７と、を有する。側部２３は、底部２２の外縁に沿って一周にわたって広がるよう底部２２から立設された部分である。底部２２の厚みＴ３は、例えば３０μｍ以上且つ４００μｍ以下である。また側部２３の厚みＴ４は、例えば２０μｍ以上且つ３００μｍ以下である。フランジ部２７は、収容部１６を囲うように側部２３の上部に連設され、外側に向かって水平方向に延びている。上述の蓋５０は、容器２０のフランジ部２７に接合されている。なお本明細書において、「側部」、「上部」、「上面」、「下面」、「上下方向」、「水平方向」などの用語は、容器２０の底部２２が下方に位置するように蓋付容器１０や容器２０が載置されている状態を基準として蓋付容器１０、容器２０、蓋５０やそれらの構成要素の位置や方向を表すものである。
【００２３】
図１乃至図５においては、収容部１６が平面視において略円形状の輪郭を有するよう容器２０の底部２２および側部２３が構成される例が示されている。しかしながら、所望の内容物を容器２０に収容することができる限りにおいて、容器２０の形状が特に限られることはない。例えば、底部２２の輪郭とフランジ部２７および蓋５０の輪郭とは、相似形であってもよく、相似していなくてもよい。
【００２４】
液体や粘調体や紛体などの流動性を有するものである限りにおいて、容器２０に収容される内容物は特には限られない。なお、図１乃至図５に示す蓋付容器１０は、片手で容器２０の側部２３や底部２２を押圧することによって蓋５０を容器２０のフランジ部２７から部分的に剥離させることができることを１つの特徴としている。このため、図１乃至図５に示す蓋付容器１０の場合、内容物は、片手で押圧できる程度の小容量の容器２０に収容されて使用されるものが好ましい。例えば、ガムシロップ、コーヒーフレッシュ、調味料、濃縮飲料などの食品、又はシャンプー、トリートメント、乳液などの化粧品などの内容物が好ましく容器２０に収容される。内容物は、動粘体であってもよい。容器２０に収容される内容物の充填率は、例えば６０％以上である。なお小容量の容器２０とは、平面視における収容部１６の寸法が６０ｍｍ以下であること、より好ましくは４０ｍｍ以下であることを意味している。
【００２５】
（フランジ部）
容器２０のフランジ部２７について説明する。図１及び図２に示すように、フランジ部２７は、フランジ部２７の収容部１６側の縁である内縁２７２と、フランジ部２７の内縁２７２とは反対側の縁である外縁２７１とを有する。図１及び図２に示す例において、内縁２７２は、円弧状に延びる円弧部分２７２ａと、円弧部分から内側に突出した内側突出部分２７２ｘと、を有する。円弧部分２７２ａの中心角は、例えば２４０°以上３４０°以下であり、図１及び図２に示す例においては約３２０°である。また、外縁２７１は、内縁２７２と略平行に延びる平行部分２７１ａと、平行部分２７１ａから外側に突出した外側突出部分２７１ｙと、を有する。
【００２６】
なお「内側」とは、フランジ部２７の上面の法線方向に沿って蓋付容器１０を見た場合に中心点Ｃに向かう側である。また「外側」とは、フランジ部２７の上面の法線方向に沿って蓋付容器１０を見た場合に中心点Ｃからフランジ部２７に向かう側である。以下の説明において、フランジ部２７の上面２７４の法線方向を「上下方向」とも称する。また、上下方向に沿って見ることを、平面視とも称する。
【００２７】
図１及び図５に示すように、フランジ部２７は、平坦部２７３と、平坦部２７３よりも底部２２側に位置する溝部２９と、を有する。上述の蓋５０は平坦部２７３に接合されている。なお、平坦部２７３は、蓋５０に接合されていない部分を含んでいてもよい。平坦部２７３のうち蓋５０に接合されている部分と、蓋５０に接合されていない部分とは、同一平面上に位置する。フランジ部２７の平坦部２７３の厚みＴ５は、例えば１５０μｍ以上且つ７００μｍ以下である。
【００２８】
（溝部）
溝部２９について詳細に説明する。溝部２９は、フランジ部２７の内縁２７２から外縁２７１に向かって、内縁２７２及び外縁２７１に達しないように延びている。図１及び図２に示す例において、溝部２９は、フランジ部２７の内縁２７２の内側突出部分２７２ｘと外縁２７１の外側突出部分２７１ｙとの間に位置している。好ましくは、溝部２９は、平面視において、中心点Ｃと内側突出部分２７２ｘの先端とを結ぶ仮想的な直線Ｌｃと重なっている。また、好ましくは、溝部２９は、平面視において、中心点Ｃと外側突出部分２７１ｙの先端とを結ぶ仮想的な直線に沿って延びている。
【００２９】
溝部２９は、閉鎖シール部３０の意図しない分離に起因して収容部１６から内容物が漏れ出た場合に、内容物を受け入れるバッファーとして機能し得る。溝部２９の容積は、好ましくは収容部１６の容積の１％以上である。
【００３０】
後述するように、溝部２９の一部は、使用者が蓋付容器１０を開封する際、後述の脆弱部において破断される。破断を適切に生じさせるためには、図５に示す溝部２９の厚みＴ６が１００μｍ以上であることが好ましい。溝部２９の厚みＴ６は、底部２２の厚みＴ３及び側部２３の厚みＴ４よりも大きくてもよい。また、溝部２９の厚みＴ６は、例えば７００μｍ以下である。
【００３１】
図１、図２、図４及び図５に示すように、フランジ部２７のうち、少なくとも溝部２９には、溝部２９が延びる方向に交差する方向において溝部２９を破断させるための脆弱部４０が設けられている。脆弱部４０とは、フランジ部２７の他の部分に比べて破断が生じ易くなるよう構成された部分である。脆弱部４０において生じる破断の形態は任意である。例えば、脆弱部４０においてフランジ部２７を引き裂くことによって破断が生じてもよく、脆弱部４０においてフランジ部２７を折り曲げることによって破断が生じてもよい。
【００３２】
図１及び図２に示す例において、脆弱部４０は、溝部２９が延びる方向に交差する方向において、溝部２９及び平坦部２７３に跨るように延びている。脆弱部４０は、フランジ部２７の外縁２７１に達していてもよく、達していなくてもよい。
【００３３】
脆弱部４０の構造は、溝部２９が延びる方向に交差する方向においてフランジ部２７を破断させることができる限り、特に限られない。本実施の形態における脆弱部４０は、図５に示すように、フランジ部２７の下面側に設けられたハーフカットを含む。脆弱部４０のハーフカットの深さは、例えば溝部２９の厚さＴ６の５０％以上である。溝部２９の厚さＴ６が０．６ｍｍである場合には、ハーフカットの深さは、例えば０．３ｍｍである。
【００３４】
（側部）
容器２０の側部２３について説明する。図１及び図２に示すように、容器２０の側部２３には、収容部１６に向かって凹む凹部２４が設けられていてもよい。凹部２４は、平面視において、上述のフランジ部２７の内縁２７２の内側突出部分２７２ｘに対応した形状を有する。
【００３５】
凹部２４について詳細に説明する。凹部２４は、図３に示すように、フランジ部２７から底部２２に向かう方向に延びる一対の基部２５及び最深部２６を含んでいる。また、凹部２４は、図３及び図４に示すように、フランジ部２７から底部２２まで延びている。最深部２６は、凹部２４のうち最も収容部１６側（中心点Ｃ側）に突出している部分である。図１及び図２に示す例において、凹部２４は平面視において円弧状の部分を含んでいる。円弧状の部分の曲率半径は、例えば３ｍｍ以上且つ２０ｍｍ以下である。
【００３６】
（閉鎖シール部）
次に、閉鎖シール部３０について説明する。図１に示すように、閉鎖シール部３０は、平面視において容器２０の収容部１６を囲うように一周にわたって連続的に延びる環状のシール部である。閉鎖シール部３０は、容器２０のフランジ部２７の平坦部２７３における上面２７４と蓋５０の下面との間に位置する。蓋５０の下面は、この閉鎖シール部３０によって容器２０のフランジ部２７の平坦部２７３における上面２７４に接合されている。なお本明細書において、「接合」とは、溶着および接着の両方を含む概念である。「溶着」とは、容器２０または蓋５０の少なくともいずれかを少なくとも部分的に溶融させることによって、閉鎖シール部３０が構成されていることを意味している。また「接着」とは、接着剤などの、容器２０および蓋５０とは別個の構成要素によって、閉鎖シール部３０が構成されていることを意味している。図１及び図２や後述する図７などの平面図又は底面図においては、閉鎖シール部３０にハッチングを施している。
【００３７】
上述のように、フランジ部２７の溝部２９は平坦部２７３よりも底部２２側に位置している。このため、蓋５０の下面は溝部２９には接合されない。すなわち、蓋５０と溝部２９との間は、閉鎖シール部３０が形成されない非シール部である。
【００３８】
図１に示すように、収容部１６及び溝部２９を囲うように環状に延びる閉鎖シール部３０は、主要シール部３１及び突出シール部３４を含む。突出シール部３４は、閉鎖シール部３０のうち、平面視においてフランジ部２７の溝部２９と収容部１６との間に位置し、収容部１６に向かって突出しているシール部である。本実施の形態において、突出シール部３４は、上下方向Ｄ１に沿って見た場合に容器２０の側部２３の凹部２４内に少なくとも部分的に位置している。例えば、突出シール部３４は、上下方向Ｄ１に沿って見た場合に凹部２４内に位置する先端部分を含んでいる。主要シール部３１は、閉鎖シール部３０のうち突出シール部３４以外のシール部であり、本実施形態ではフランジ部２７の内縁２７２に沿って設けられている。
【００３９】
主要シール部３１の内縁及び突出シール部３４の内縁はそれぞれ、一端及び他端を有する。主要シール部３１の内縁の一端と突出シール部３４の内縁の一端とは、後述する第１点において接続されている。また、主要シール部３１の内縁の他端と突出シール部３４の内縁の他端とは、後述する第２点において接続されている。言い換えると、主要シール部３１の内縁と突出シール部３４の内縁とは、第１点及び第２点を境界として区別される。第１点及び第２点の定義については後述する。なお、閉鎖シール部３０、主要シール部３１及び突出シール部３４において、内縁とは、閉鎖シール部３０、主要シール部３１及び突出シール部３４の縁のうち収容部１６側に位置する縁を意味する。
【００４０】
図７を参照して、突出シール部３４について詳細に説明する。図７は、図１の蓋付容器１０の閉鎖シール部３０の突出シール部３４を拡大して示す平面図である。
【００４１】
はじめに、突出シール部３４の定義について説明する。本実施の形態において、突出シール部３４とは、閉鎖シール部３０の内縁から収容部１６の中心点Ｃまでの距離を、閉鎖シール部３０の各位置で時計回りに測定した場合に、距離が第１の一定値から減少し始め、その後に極小値となり、その後に距離が増加し始め、その後に第２の一定値に戻る、という変化を示す部分のことである。図７において、閉鎖シール部３０の内縁上の点のうち、距離が第１の一定値から増加し始める第１点、距離が極小値を示す極小点、および距離が第２の一定値に戻る第２点がそれぞれ符号３５１、３７１および３６１で表されている。なお、閉鎖シール部３０の外縁とは、閉鎖シール部３０の縁のうち、内縁の反対側に位置する縁である。
【００４２】
突出シール部３４は、先端部分３７と、先端部分３７を挟むよう配置された第１突出シール部３５および第２突出シール部３６と、を含んでいる。先端部分３７は、突出シール部３４のうち、容器２０の収容部１６の平面視における中心点Ｃに最も近接する部分であり、上述の極小点３７１を含む部分である。また、第１突出シール部３５は、閉鎖シール部３０のうち第１点３５１から先端部分３７に至るまで延びる部分である。また第２突出シール部３６は、閉鎖シール部３０のうち第２点３６１から先端部分３７に至るまで延びる部分である。
【００４３】
第１点３５１から収容部１６の中心点Ｃまでの距離ｄ１と、極小点３７１から収容部１６の中心点Ｃまでの距離ｄ３との差は、例えば５ｍｍ以上である。また、第２点３６１から収容部１６の中心点Ｃまでの距離ｄ２と、距離ｄ３との差は、例えば５ｍｍ以上である。
【００４４】
図７において、符号Ｗ１は、主要シール部３１の幅を表し、符号Ｗ２は、突出シール部３４の先端部分３７の幅を表す。突出シール部３４の先端部分３７の幅Ｗ２は、主要シール部３１の幅Ｗ１よりも小さくなっている。例えば、先端部分３７の幅Ｗ２と主要シール部３１の幅Ｗ１との差は、２ｍｍ以上である。また、主要シール部３１の幅Ｗ１に対する突出シール部３４の先端部分３７の幅Ｗ２の比（＝Ｗ２／Ｗ１）は、例えば０．０２以上０．７５以下である。また、先端部分３７の幅Ｗ２は、例えば０．５ｍｍ以上且つ３ｍｍ以下である。
【００４５】
収容部１６の圧力が上昇すると、突出シール部３４の特に先端部分３７が、主要シール部３１よりも先に分離し、先端部分３７の位置において蓋５０がフランジ部２７から剥離されるようになる。
【００４６】
本実施の形態においては、図７において点線で示すように、主要シール部３１のうち第１突出シール部３５に接続された部分が、第１点３５１を越えてフランジ部２７の外縁２７１に沿って溝部２９まで延びている。同様に、主要シール部３１のうち第２突出シール部３６に接続された部分が、第２点３６１を越えてフランジ部２７の外縁２７１に沿って溝部２９まで延びている。主要シール部３１のうち第１突出シール部３５に接続された部分と、第２突出シール部３６に接続された部分とは、溝部２９からみて突出シール部３４が位置する側とは反対側において、接続されている。これによって、溝部２９は、平面視において主要シール部３１と突出シール部３４とによって囲まれている。
【００４７】
図７において、符号３８は、主要シール部３１及び突出シール部３４を含む閉鎖シール部３０のうち溝部２９を囲んでいる部分の、溝部２９側の縁部を示している。以下の説明において、符号３８で示される縁部のことを、溝部側縁部とも称する。溝部側縁部３８は、溝部２９の延びる方向Ｄ２において内縁２７２側に位置する内縁側端部３８ａと、溝部２９の延びる方向Ｄ２において外縁２７１側に位置する外縁側端部３８ｂと、溝部２９の延びる方向Ｄ２に沿って延びる一対の長手縁部３８ｃと、を有する。図７に示す例において、内縁側端部３８ａは、突出シール部３４の縁部の一部を構成している。外縁側端部３８ｂは、溝部２９の延びる方向Ｄ２において内縁側端部３８ａとは反対側の位置において、主要シール部３１の縁部の一部を構成している。
【００４８】
図７において、符号３９は、閉鎖シール部３０のうち、溝部２９の延びる方向Ｄ２において外縁側端部３８ｂとフランジ部２７の外縁２７１との間に位置する部分を表す。以下の説明において、符号３９で示されるシール部のことを、溝部外縁側シール部とも称する。溝部外縁側シール部３９は、主要シール部３１の一部を構成している。図７において、符号Ｗ３は、溝部２９の延びる方向Ｄ２における溝部外縁側シール部３９の幅を表す。幅Ｗ３は、例えば２ｍｍ以上且つ１５ｍｍ以下である。
【００４９】
図７に示す例において、溝部２９の延びる方向Ｄ２における溝部外縁側シール部３９の幅Ｗ３は、溝部２９の延びる方向Ｄ２における突出シール部３４の先端部分３７の幅Ｗ２よりも小さい。しかしながら、これに限られることはなく、後述する図１１、１３、１８、２１、２２に示す例のように、溝部外縁側シール部３９の幅Ｗ３が突出シール部３４の先端部分３７の幅Ｗ２よりも大きくてもよい。
【００５０】
（容器の凹部の詳細）
続いて、本実施の形態に係る容器２０の凹部２４について、図６を用いて更に詳細に説明する。
【００５１】
上述のように、凹部２４は、一対の基部２５及び最深部２６を含む。図６に示すように、最深部２６は、一対の基部２５に外接する接線Ｌ１又は接平面を仮想的に描いた場合に、凹部２４のうち接線Ｌ１又は接平面から最も離れた部分として定義される。このような一対の基部２５及び最深部２６を含む凹部２４は、リブとして機能するので、側部２３のその他の部分に比べて変形しにくい。すなわち、凹部２４は保形性を有する。このため、後述するように、容器２０の胴部２１に押圧力が加えられた時、凹部２４の最深部２６は外側に変形しにくい。
【００５２】
図６において、符号Ｔ１は、基部２５における側部２３の厚みを表し、符号Ｔ２は、最深部２６における側部２３の厚みを表す。最深部２６における側部２３の厚みＴ２は、例えば０．０５ｍｍ以上且つ０．４ｍｍ以下である。最深部２６における側部２３の厚みＴ２は、基部２５における側部２３の厚みＴ１よりも小さくてもよい。例えば、厚みＴ２が厚みＴ１の１倍以下であってもよい。なお、凹部２４が側部２３のその他の部分に比べて高い保形性を安定的に有するようにするためには、厚みＴ２と厚みＴ１の差が小さいことが好ましい。
【００５３】
また、上述の図４及び図５に示すように、凹部２４の基部２５及び最深部２６はいずれも、フランジ部２７から底部２２に向かうにつれて容器２０の中心側へ変位するよう、上下方向Ｄ１に対して傾斜している。最深部２６の傾斜角度θ２は、図５に示すように、最深部２６の上端２６１と最深部２６の下端２６２とを結ぶ直線Ｌ２が上下方向Ｄ１に対して成す角度である。図示はしないが、基部２５の傾斜角度も同様に、基部２５の上端２５１と基部２５の下端２５２とを結ぶ直線が上下方向Ｄ１に対して成す角度である。
【００５４】
なお、シート成形法により容器２０を作製する場合、基部２５の傾斜角度が小さくなるほど、基部２５における側部２３の厚みＴ１が小さくなる。なぜなら、基部２５の傾斜角度が小さくなるほど、基部２５における側部２３を構成するためにシート成形の際に用いられるシートの面積が小さくなるからである。最深部２６に関しても同様に、最深部２６の傾斜角度が小さくなるほど、最深部２６における側部２３の厚みＴ２が小さくなる。従って、厚みＴ２を大きくし、最深部２６における凹部２４の保形性を高めるためには、最深部２６の傾斜角度が大きいことが好ましく、例えば３°以上であることが好ましい。なお、最深部２６の傾斜角度が大きくなり過ぎると、収容部１６の容積が小さくなり、好ましくない。従って、最深部２６の傾斜角度は、例えば１０°以下であることが好ましい。
【００５５】
また、最深部２６における凹部２４の保形性を高めるためには、基部２５の傾斜角度と最深部２６の傾斜角度との差が小さいことが好ましく、例えば７°以下であることが好ましい。これにより、凹部２４の保形性を側部２３のその他の部分に比べて安定的に高くすることができる。
【００５６】
次に、容器２０の胴部２１に押圧力が加えられた時に凹部２４に生じる変形について、図８及び図９を参照して説明する。図８は、蓋５０が接合されていない空の容器２０の底部２２に押圧力Ｆを加える様子を示す斜視図である。また、図９は、押圧力に基づいて変形した空の容器２０を示す斜視図である。空の容器２０は、例えば、蓋付容器１０の蓋５０を、容器２０を変形させることなく容器２０から剥がし、容器２０から内容物を取り出すことによって得られる。
【００５７】
図８において、符号Ｈ１は、押圧力Ｆが加えられて変形する前の容器２０の高さ（変形前高さとも称する）を表す。変形前高さＨ１は、底部２２のうち最も下方に位置する部分から、側部２３の上部（側部２３とフランジ部２７とが接続されている部分）までの、上下方向における距離である。図９において、符号Ｈ２は、押圧力に基づいて変形した後の容器２０の高さ（変形後高さとも称する）を表す。ここでは、押圧力Ｆが、変形後高さＨ２が０．９×Ｈ１となるよう調整されている。
【００５８】
容器２０の底部２２に押圧力が加えられると、底部２２がフランジ部２７側に変位するよう容器２０が変形する。また、側部２３が外側に変位するという変形も、少なくとも部分的に生じる。例えば、図９に示す矢印Ｔは、凹部２４の最深部２６が外側に変位する様子を表している。
【００５９】
上述のように、容器２０の底部２２に加えられた押圧力は、フランジ部２７側への底部２２の変形と、外側への側部２３の変形を生じさせる。フランジ部２７側への底部２２の変形は、容器２０の圧力を増加させることに寄与する。一方、外側への側部２３の変形は、容器２０の圧力の増加を阻害するよう作用する。このため、容器２０の内部の圧力を効率良く増加させるためには、容器２０の底部２２をフランジ部２７に向けて押圧した時に側部２３が外側に変形することが抑制されるよう、側部２３を構成することが好ましい。ここで、本実施の形態においては、側部２３に凹部２４が設けられている。凹部２４の最深部２６が外側に変形することは、側部２３のその他の部分が外側に変形することに比べて、容器２０の圧力の増加をより阻害するよう作用する。
【００６０】
このような課題を考慮し、容器２０の底部２２を押圧した時に凹部２４が変形することが抑制されるように凹部２４を構成することが好ましい。具体的には、変形後高さＨ２が０．９×Ｈ１となるまで容器２０の底部２２が押圧された時に、図９において符号Ｋで示す保形高さＫが０．５×変形前高さＨ１以上となるよう、凹部２４を構成することが好ましい。ここで、保形高さＫとは、フランジ部２７から最深部２６の境界部２６３までの上下方向Ｄ１における距離である。境界部２６３とは、最深部２６のうち、変形後高さＨ２が０．９×Ｈ１となるまで容器２０の底部２２をフランジ部２７に向けて押圧した場合に一対の基部２５に対応する位置（一対の基部２５に外接する接線又は接平面の位置）まで外側に変形する部分である。このように凹部２４を構成することにより、容器２０の底部２２に加えられた押圧力が凹部２４の最深部２６の変形に使用されることを抑制することができる。このことにより、容器２０の内部の圧力を効率良く増加させて、より小さな押圧力で蓋付容器１０を開封することができる。
【００６１】
保形高さＫ≧０．５×変形前高さＨ１が成立するよう凹部２４を構成するための具体的な方法としては、様々なものが考えられる。例えば、最深部２６における側部２３の厚みＴ２の絶対値を調整することや、基部２５における側部２３の厚みＴ１に対する厚みＴ２の比を調整することなどが考えられる。また、上下方向Ｄ１に対する最深部２６の傾斜角度θ２を調整することも考えられる。
【００６２】
（容器および蓋の材料）
以下、容器２０および蓋５０を構成する材料の一例について説明する。
【００６３】
容器２０を構成する材料としては、ポリプロピレン、ポリスチレン、ポリエチレンテレフタレートなどのプラスチックを用いることができる。例えば、シート成形法により容器２０を作製する場合、シート材として、未延伸ポリプロピレン、未延伸ナイロンなどの未延伸プラスチックフィルムを用いることができる。シート材は、単一の層から構成されていてもよく、複数の層を含んでいてもよい。なお、容器２０は、射出成形によって作製されてもよい。
【００６４】
蓋５０を構成する材料は、蓋５０の下面が容器２０のフランジ部２７の平坦部２７３における上面２７４に接合され得るよう、選択される。例えば蓋５０は、基材層と、蓋５０の下面を構成するシーラント層と、を含んでいる。蓋５０の厚みは、例えば２０μｍ以上且つ１００μｍ以下である。蓋５０の基材層を構成する材料としては、ポリエチレンテレフタレートなどのポリエステル系樹脂、ナイロンなどのポリアミド系樹脂や、ポリプロピレン等を用いることができる。またシーラント層を構成する材料としては、ポリプロピレンや、ポリプロピレンおよびポリエチレンの混合樹脂等を用いることができる。ポリプロピレンおよびポリエチレンの混合樹脂は、イージーピールシーラントとも称される、比較的小さな接合力を有する材料である。なお、基材層およびシーラント層がいずれもポリプロピレンを含む場合、基材層においては二軸延伸ポリプロピレンが用いられ、シーラント層においては未延伸ポリプロピレンが用いられる。
【００６５】
蓋５０は、少なくとも脆弱部４０と重なる部分において、脆弱部４０が延びる方向における易裂き性を有することが好ましい。蓋５０が、脆弱部４０が延びる方向における易裂き性を有することよって、脆弱部４０によって容器２０の溝部２９を破断させる際に、溝部２９とともに蓋５０も破断させることが容易になる。
【００６６】
易裂き性を実現するための構成は任意である。例えば、蓋５０のうち脆弱部４０と重なる部分に、脆弱部４０が延びる方向に沿って延びるハーフカット線が設けられていてもよい。ハーフカット線は、蓋５０の基材層を貫通していてもよく、貫通していなくてもよい。ハーフカット線は、例えばレーザー加工によって形成される。
【００６７】
また、蓋５０の易裂き性は、蓋５０を構成するフィルムや積層体自体の特性によって実現されていてもよい。例えば、蓋５０の基材層を構成するフィルムの、脆弱部４０が延びる方向における引張強度が、脆弱部４０が延びる方向と直交する方向における引張強度よりも大きくてもよい。
【００６８】
（蓋付容器の製造方法）
次に、蓋付容器１０の製造方法の一例として、図１乃至図５に示す蓋付容器１０の製造方法について説明する。
【００６９】
まず、シート成形法を用いて容器２０を作製する。例えば、図示はしないが、シート材の内面側に雄型を配置し、シート材の外面側に雌型を配置する。続いて、シート材のうちフランジ部２７を構成する部分を固定した状態で、雄型を雌型に向けて相対的に移動させて、シート材のうち胴部２１を構成する部分を雌型に押し込む。これによって、胴部２１及びフランジ部２７を有する容器２０を得ることができる。次に、容器２０のフランジ部２７の溝部２９及び平坦部２７３に、容器２０の下面側から、フランジ部２７の溝部２９及び平坦部２７３の形状に対応した形状の刃を接触させる。これによって、脆弱部４０として図５に示すようなハーフカットを形成する。
【００７０】
続いて、胴部２１によって画成された収容部１６に内容物を充填した後、容器２０のフランジ部２７の平坦部２７３における上面２７４上に蓋５０を載置する。その後、蓋５０のうち閉鎖シール部３０が形成されるべき部分を、熱板などを用いて加熱して、蓋５０のシーラント層を溶融させる。これによって、閉鎖シール部３０を介して蓋５０の下面を容器２０のフランジ部２７の平坦部２７３における上面２７４に溶着させることができる。その後、必要に応じて容器２０や蓋５０を所定の形状に切り抜く。このようにして、蓋付容器１０を得ることができる。
【００７１】
なお容器２０を作製する方法としては、上述のシート成形法以外にも、射出成形法などの公知の方法を適宜用いることができる。
【００７２】
（蓋付容器の作用）
次に、蓋付容器１０の作用の一例について説明する。まず、意図しないタイミングで突出シール部３４がフランジ部２７から分離する場合の、蓋付容器１０の作用の一例について説明する。
【００７３】
本実施の形態の蓋付容器１０のフランジ部２７は、上述のように、突出シール部３４とフランジ部２７の外縁２７１との間に位置する溝部２９を有している。このため、蓋付容器１０の搬送時などに蓋付容器１０が受ける力に起因して突出シール部３４が分離した場合であっても、収容部１６から漏れ出た内容物を溝部２９に収容することができる。また、収容部１６で高まった圧力を溝部２９で緩和することができる。また、閉鎖シール部３０は、溝部２９を囲う溝部側縁部３８を有するよう構成されている。例えば、溝部２９の延びる方向Ｄ２において溝部２９とフランジ部２７の外縁２７１との間には、閉鎖シール部３０の溝部外縁側シール部３９が設けられている。このため、収容部１６から漏れ出た後に溝部２９に収容されている内容物が蓋付容器１０の外部に漏れ出ることを抑制することができる。
【００７４】
このように、本実施の形態においては、意図しない衝撃が蓋付容器１０に加わって収容部１６の圧力が高まることにより突出シール部３４がフランジ部２７から分離した場合であっても、溝部２９によって圧力を緩和することができる。また、溝部２９内の内容物が蓋付容器１０の外部に漏れ出ることを溝部外縁側シール部３９によって抑制することができる。このため、蓋付容器１０の輸送適性や携帯性を向上させることができる。
【００７５】
後述する図１１、１３、１８、２１、２２に示す例のように、閉鎖シール部３０の溝部外縁側シール部３９の幅Ｗ３は、突出シール部３４の先端部分３７の幅Ｗ２よりも大きくてもよい。これにより、収容部１６から漏れ出た内容物が溝部２９に収容されている状態のときに、溝部外縁側シール部３９がフランジ部２７から分離することを抑制することができる。このことにより、溝部２９に収容されている内容物が蓋付容器１０の外部に漏れ出ることを更に抑制することができる。
【００７６】
次に、通常時の蓋付容器１０の作用の一例について説明する。すなわち、突出シール部３４が分離していない状態の蓋付容器１０を開封する方法について説明する。
【００７７】
蓋付容器１０の開封時、使用者はまず、脆弱部４０に沿って、フランジ部２７を破断させる。例えば、脆弱部４０に沿って、溝部２９と交差するようにフランジ部２７の一部を引き裂く。これによって、図１０に示すように、外部に開口した開口部２９ａを溝部２９に形成することができる。若しくは、脆弱部４０に沿ってフランジ部２７を折り曲げることにより、溝部２９を含むフランジ部２７を破断させ、溝部２９に開口部２９ａを形成してもよい。
【００７８】
次に、使用者は、容器２０の底部２２に押圧力を加える。例えば、一方の手の親指を底部２２に添え、一方の手のその他の指を蓋５０に添えた状態で、蓋付容器１０を挟圧する。
【００７９】
一例として、容器２０の底部２２を押圧する場合について説明する。この場合、底部２２がフランジ部２７に向けて押圧されると、底部２２がフランジ部２７側に変位するよう容器２０が変形する。これにより、容器２０の内部の圧力が増加する。
ここで、本実施の形態においては、閉鎖シール部３０が、先端部分３７を含む突出シール部３４を有している。このため、容器２０内の圧力の増加によって、主要シール部３１よりも先に突出シール部３４の先端部分３７を分離させて、先端部分３７の位置において容器２０のフランジ部２７と蓋５０との間に隙間を形成することができる。このことにより、突出シール部３４の位置において、容器２０のフランジ部２７と蓋５０との間に隙間を形成し、溝部２９と収容部１６とを通じさせることができる。このため、収容部１６に収容されている内容物を、突出シール部３４が分離した部分、溝部２９及び溝部２９の開口部２９ａを介して外部に取り出すことができる。この際、溝部２９は、容器２０に収容されている内容物を外部に排出する際の流路として機能し得る。
【００８０】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００８１】
（容器の第１の変形例）
上述の実施の形態においては、収容部１６が、すなわちフランジ部２７の内縁２７２が、平面視において略円形状の輪郭を有する例を示した。しかしながら、所望の内容物を容器２０に収容することができる限りにおいて、平面視におけるフランジ部２７の内縁２７２の輪郭が特に限られることはない。以下、図１１及び図１２を参照して、フランジ部２７の内縁２７２が略矩形状の輪郭を有する例について説明する。なお、図示はしないが、フランジ部２７の内縁２７２は、平面視において矩形状以外の多角形状の輪郭を有していてもよい。
【００８２】
図１１は、容器の第１の変形例に係る蓋付容器１０を蓋５０側から見た場合を示す平面図であり、図１２は、蓋付容器１０を容器２０の底部２２側から見た場合を示す底面図である。図１１及び図１２に示す例において、フランジ部２７の内縁２７２は、略矩形状に延びる矩形部分２７２ｂと、矩形部分２７２ｂから内側に突出した内側突出部分２７２ｘと、を有する。外縁２７１は、内縁２７２と略平行に延びる平行部分２７１ａと、平行部分２７１ａから外側に突出した外側突出部分２７１ｙと、を有する。
【００８３】
図１１及び図１２に示すように、フランジ部２７の内縁２７２の内側突出部分２７２ｘと外縁２７１の外側突出部分２７１ｙとの間には溝部２９が設けられている。溝部２９は、フランジ部２７の内縁２７２から外縁２７１に向かって、内縁２７２及び外縁２７１に達しないように延びている。本変形例においても、好ましくは、溝部２９は、平面視において、中心点Ｃと内側突出部分２７２ｘの先端とを結ぶ仮想的な直線Ｌｃと重なっている。また、好ましくは、溝部２９は、平面視において、中心点Ｃと外側突出部分２７１ｙの先端とを結ぶ仮想的な直線Ｌｃに沿って延びている。
【００８４】
図１１及び図１２に示すように、本変形例においても、フランジ部２７のうち、少なくとも溝部２９には、溝部２９が延びる方向に交差する方向において溝部２９を破断させるための脆弱部４０が設けられている。このため、蓋付容器１０を開封する際、脆弱部４０に沿って溝部２９を含むフランジ部２７を破断させ、溝部２９に開口部２９ａを形成することができる。
【００８５】
図１１及び図１２に示すように、脆弱部４０は、溝部２９が延びる方向に交差する方向に延び、フランジ部２７の外縁２７１に設けられた切欠き４１を含んでいてもよい。この場合、脆弱部４０の切欠き４１は、溝部２９が延びる方向に交差する方向に沿って溝部２９を含むフランジ部２７を引き裂くための起点として機能し得る。なお、図示はしないが、脆弱部４０は、溝部２９が延びる方向に交差する方向に延び、フランジ部２７の外縁２７１に設けられた切り込みを含んでいてもよい。また、蓋５０のうちフランジ部２７の切欠き４１又は切り込みに重なる部分において、蓋５０の外縁に切欠き又は切り込みが形成されていてもよい。
【００８６】
また、図１及び図２に示す上述の蓋付容器１０の脆弱部４０が、これらの切り込みや切欠きを含んでいてもよい。
【００８７】
（容器の第２の変形例）
図１３は、容器の第２の変形例に係る蓋付容器１０を蓋５０側から見た場合を示す平面図であり、図１４は、蓋付容器１０を容器２０の底部２２側から見た場合を示す底面図である。容器の第２の変形例に係る容器２０の外縁２７１は、図１３及び図１４に示すように、溝部２９に平行に延びる溝部平行部分２７１ｂを有する。図１３及び図１４に示す例において、外縁２７１は、溝部２９が延びる方向に直交する方向にみて、溝部２９を挟む一対の溝部平行部分２７１ｂを有する。脆弱部４０は、一対の溝部平行部分２７１ｂの一方からもう一方まで延びている。
【００８８】
図１５は、図１３の蓋付容器１０を線XV-XVに沿って切断した場合を示す縦断面図である。容器の第２の変形例に係る容器２０の底部２２は、図１５に示すように、蓋５０側に向かって突出する、くぼみ部２２１を有する。くぼみ部２２１は、図１４に示すように、平面視において円形の形状を有する。
【００８９】
容器の第２の変形例に係る蓋付容器１０の開封方法について説明する。なお、容器の第２の変形例に係る蓋付容器１０の開封方法に関する説明は、矛盾しない限り上述の実施の形態及び他の変形例に係る蓋付容器１０にも適用される。蓋付容器１０の開封時、使用者はまず、脆弱部４０に沿って、フランジ部２７を破断させる。これによって、外部に開口した開口部２９ａを溝部２９に形成する。
【００９０】
次に、使用者は、図１６に示すように、蓋５０が下方、容器２０の底部２２が上方に位置するように、蓋付容器１０を保持する。図１６に示す例において、使用者は、容器２０の底部２２に親指で触れ、蓋５０にその他の指で触れるようにして、片手で蓋付容器１０を保持している。図１６に示す例において、使用者は、親指で、特に底部２２のくぼみ部２２１に触れるようにして、蓋付容器１０を保持している。
【００９１】
次に、使用者は、容器２０の底部２２に押圧力を加える。図１７に示す例において、使用者は、親指以外の指で蓋５０を支持しつつ、親指で底部２２を押圧している。図１７に示す例において、使用者は、親指で、特に底部２２のくぼみ部２２１を押圧している。底部２２の押圧により、容器２０は底部２２がフランジ部２７側に変位するように変形し、容器２０の内部の圧力が増加する。これによって、突出シール部３４の先端部分３７を分離させて、先端部分３７の位置において容器２０のフランジ部２７と蓋５０との間に隙間を形成し、溝部２９と収容部１６とを通じさせることができる。このため、収容部１６に収容されている内容物を、突出シール部３４が分離した部分、溝部２９及び溝部２９の開口部２９ａを介して外部に取り出すことができる。
【００９２】
（容器の第３の変形例）
上述の実施の形態及び各変形例においては、脆弱部４０が、少なくとも溝部２９に設けられている例を示した。しかしながら、脆弱部４０の設けられる位置は、これに限られない。以下、図１８、図１９及び図２０を参照して、容器の第３の変形例について説明する。図１８は、容器の第３の変形例に係る蓋付容器１０を蓋５０側から見た場合を示す平面図である。図１９は、蓋付容器１０を容器２０の底部２２側から見た場合を示す底面図である。図２０は、図１８の蓋付容器１０を線XX-XXに沿って切断した場合を示す縦断面図である。
【００９３】
図１８及び図１９に示すように、閉鎖シール部３０は、少なくとも溝部２９を囲う溝部側縁部３８を有する。上述の実施の形態及び各変形例においては、閉鎖シール部３０の溝部側縁部３８がフランジ部２７の溝部２９の輪郭に一致している。一方、本変形例においては、閉鎖シール部３０の溝部側縁部３８とフランジ部２７の溝部２９の輪郭との間に部分的にフランジ部２７の平坦部２７３が位置している。本変形例において、このような平坦部２７３は、溝部２９が延びる方向において溝部２９よりも外縁２７１側に位置する。言い換えると、溝部側縁部３８は、溝部２９と、平坦部２７３のうち溝部２９の延びる方向にみて溝部２９よりも外縁２７１側に位置する部分の一部とを囲っている。
【００９４】
図２０に示すように、溝部側縁部３８に囲われている部分のうち、平坦部２７３が位置する部分は、平坦部２７３と蓋５０とが接合されていない、未シール部６０となっている。溝部側縁部３８は、図１８、図１９及び図２０に示すように、溝部２９の延びる方向にみて、内縁２７２側に位置する内縁側端部３８ａと、外縁２７１側に位置する外縁側端部３８ｂとを有する。そして、フランジ部２７の、内縁側端部３８ａに重なる部分と外縁側端部３８ｂに重なる部分との間に、溝部２９が延びる方向に交差する方向においてフランジ部２７を破断させるための脆弱部４０が設けられている。図１８、図１９及び図２０に示す例において、脆弱部４０は、平坦部２７３のうち、未シール部６０が位置する部分に設けられている。図１８、図１９及び図２０に示す蓋付容器１０においては、脆弱部４０を用いて、未シール部６０が位置する部分における平坦部２７３を破断させることによって、溝部２９に通じる開口部を形成することができる。この場合、収容部１６に収容されている内容物を、突出シール部３４が分離した部分、溝部２９、未シール部６０が位置する部分における平坦部２７３と蓋５０との間、及び平坦部２７３の開口部を介して外部に取り出すことができる。
【００９５】
なお、上述の実施の形態、並びに容器の第１、２の変形例に係る蓋付容器１０の形態は、溝部側縁部３８が少なくとも溝部２９を囲う形態のうち、溝部側縁部３８が平坦部２７３の一部を囲わず、溝部２９のみを囲う形態に相当するものと理解することができる。
【００９６】
（容器の第４の変形例）
上述の実施の形態及び各変形例においては、容器２０のフランジ部２７に脆弱部４０が設けられている例を示した。しかしながら、容器２０には、脆弱部４０が設けられていなくてもよい。以下、図２１及び図２２を参照して、容器の第４の変形例について説明する。図２１は、容器の第４の変形例に係る蓋付容器１０の一例を、蓋５０側から見た場合を示す平面図である。図２２は、容器の第４の変形例に係る蓋付容器１０のその他の一例を、蓋５０側から見た場合を示す平面図である。図２１に示す蓋付容器１０は、図１１に示す上述の第１の変形例に係る蓋付容器１０において容器２０の脆弱部４０を削除したものに相当する。図２２に示す蓋付容器１０は、図１３に示す上述の第２の変形例に係る蓋付容器１０において容器２０の脆弱部４０を削除したものに相当する。図２１に示すように、フランジ部２７の内縁２７２が平面視において略矩形状の輪郭を有する蓋付容器１０において、容器２０に脆弱部４０が設けられていなくてもよい。また、図２２に示すように、フランジ部２７の内縁２７２が平面視において略円形状の輪郭を有する蓋付容器１０において、容器２０に脆弱部４０が設けられていなくてもよい。
【００９７】
なお、図１１に示す上述の第１の変形例に係る蓋付容器１０の形態は、図２１に示す蓋付容器１０の容器２０のフランジ部２７に脆弱部４０を設けた形態に相当する。また、図１３に示す第２の変形例に係る蓋付容器１０の形態は、図２２に示す蓋付容器１０の容器２０のフランジ部２７に脆弱部４０を設けた形態に相当する。
【００９８】
図２１及び図２２に示す蓋付容器１０においても、意図しない衝撃が蓋付容器１０に加わって収容部１６の圧力が高まることにより突出シール部３４がフランジ部２７から分離した場合に、溝部２９によって圧力を緩和することができる。また、図２１及び図２２に示す蓋付容器１０においても、閉鎖シール部３０は、溝部２９を囲う溝部側縁部３８を有するよう構成されている。このため、溝部２９内の内容物が蓋付容器１０の外部に漏れ出ることを溝部外縁側シール部３９によって抑制することができる。これにより、蓋付容器１０の輸送適性や携帯性を向上させることができる。
【００９９】
図２１及び図２２に示す蓋付容器１０において、蓋付容器１０の開封時にフランジ部２７を破断させる方法は任意である。例えば、使用者は、はさみなどの刃物を用いて溝部２９を含むフランジ部２７を破断させることによって、溝部２９に開口部２９ａを形成することができる。
【符号の説明】
【０１００】
１０  蓋付容器
１６  収容部
２０  容器
２１  胴部
２２  底部
２２１  くぼみ部
２３  側部
２４  凹部
２５  基部
２６  最深部
２６３  境界部
２７  フランジ部
２７１  外縁
２７１ａ  平行部分
２７１ｂ  溝部平行部分
２７１ｙ  外側突出部分
２７２  内縁
２７２ａ  円弧部分
２７２ｂ  矩形部分
２７２ｘ  内側突出部分
２７３  平坦部
２７４  上面
２８  凸部
２９  溝部
２９ａ  開口部
３０  閉鎖シール部
３１  主要シール部
３４  突出シール部
３５  第１突出シール部
３６  第２突出シール部
３７  先端部分
３８  溝部側縁部
３８ａ  内縁側端部
３８ｂ  外縁側端部
３９  溝部外縁側シール部
４０  脆弱部
４１  切欠き
５０  蓋
６０  未シール部
【図１】
2020189686.tif 000003
【図２】
2020189686.tif 000004
【図３】
2020189686.tif 000005
【図４】
2020189686.tif 000006
【図５】
2020189686.tif 000007
【図６】
2020189686.tif 000008
【図７】
2020189686.tif 000009
【図８】
2020189686.tif 000010
【図９】
2020189686.tif 000011
【図１０】
2020189686.tif 000012
【図１１】
2020189686.tif 000013
【図１２】
2020189686.tif 000014
【図１３】
2020189686.tif 000015
【図１４】
2020189686.tif 000016
【図１５】
2020189686.tif 000017
【図１６】
2020189686.tif 000018
【図１７】
2020189686.tif 000019
【図１８】
2020189686.tif 000020
【図１９】
2020189686.tif 000021
【図２０】
2020189686.tif 000022
【図２１】
2020189686.tif 000023
【図２２】
2020189686.tif 000024